(57)【要約】【課題】設計の自由度が低減することなく、投射光学装置を保護できるプロジェクターを提供する。【解決手段】プロジェクター１は、外装筐体２内部に配設され、画像開口部２３１を閉塞するシャッター６と、画像開口部２３１を閉塞する閉位置、または画像開口部２３１を開放し投射光学装置を露出させる開位置に、シャッター６を移動可能に支持する支持部材７とを備える。シャッター６及び支持部材７には、いずれか一方に設けられ鉛直軸に沿って突出する係合突起６２と、いずれか他方に設けられ、シャッター６の移動方向に沿って延び、係合突起６２が挿通されて係合突起６２の移動を案内する係合溝７２２Ａとを有する係合構造が設けられている。係合溝７２２Ａは、閉位置で係合突起６２が位置する始端ＰＳが、開位置で係合突起６２が位置する終端ＰＥに対して、投射光学装置の投射側に位置するように設けられている。【選択図】図９
2010181799.tif 000002
【特許請求の範囲】
【請求項１】
画像を投射する投射光学装置と、前記投射光学装置から投射される画像を通過させるための画像開口部を有する外装筐体とを備えたプロジェクターであって、
前記外装筐体内部に配設され、前記画像開口部を閉塞するシャッターと、
前記画像開口部を閉塞する閉位置または前記画像開口部を開放し前記画像開口部を介して前記投射光学装置を露出させる開位置に、前記シャッターを移動可能に支持する支持部材とを備え、
前記シャッター及び前記支持部材には、
いずれか一方に設けられ鉛直軸に沿って突出する係合突起と、いずれか他方に設けられ、前記シャッターの移動方向に沿って延び、前記係合突起が挿通されて前記係合突起を案内する係合溝とを有する係合構造が設けられ、
前記係合溝は、
前記閉位置で前記係合突起が位置する始端が、前記開位置で前記係合突起が位置する終端に対して、前記投射光学装置の投射側に位置するように設けられている
ことを特徴とするプロジェクター。
【請求項２】
請求項１に記載のプロジェクターにおいて、
前記係合溝は、
互いに連通する第１溝部及び第２溝部で構成され、
前記第２溝部は、
前記終端から前記投射光学装置の投射方向に略直交して延びるように形成され、
前記第１溝部は、
前記第２溝部に対して鈍角を成し、前記始端まで延びるように形成されている
ことを特徴とするプロジェクター。
【請求項３】
請求項２に記載のプロジェクターにおいて、
前記係合溝は、
前記第１溝部が前記第２溝部よりも短くなるように形成されている
ことを特徴とするプロジェクター。
【請求項４】
請求項１から請求項３のいずれかに記載のプロジェクターにおいて、
前記シャッターは、
前記投射光学装置の投射方向に膨出し、前記シャッターが前記閉位置に位置した際に前記画像開口部に遊嵌する膨出部を備える
ことを特徴とするプロジェクター。
【請求項５】
請求項４に記載のプロジェクターにおいて、
前記膨出部の先端部分は、
前記画像開口部に遊嵌した際に前記外装筐体における前記画像開口部が形成された側壁部外面に倣う面で構成されている
ことを特徴とするプロジェクター。
【請求項６】
請求項４または請求項５に記載のプロジェクターにおいて、
前記画像開口部は、
前記外装筐体内部に向うにしたがって開口面積が大きくなるように形成されている
ことを特徴とするプロジェクター。
【請求項７】
請求項１から請求項６のいずれかに記載のプロジェクターにおいて、
前記外装筐体には、
前記シャッターを移動させるための操作開口部が形成され、
前記操作開口部を介して外部に露出するとともに移動可能に構成され、外部から操作されることで前記シャッターを移動させる操作部材を備え、
前記シャッター及び前記操作部材には、
いずれか一方に設けられ前記投射光学装置の投射方向に沿って突出する第２の係合突起と、いずれか他方に設けられ前記第２の係合突起が挿通される挿通孔とを有する第２の係合構造が設けられている
ことを特徴とするプロジェクター。
【発明の詳細な説明】
【技術分野】
【０００１】
本発明は、プロジェクターに関する。
【背景技術】
【０００２】
従来、投射光学装置（投射レンズ）の保護を目的として、外装筐体に形成された画像開口部（光束通過用開口部）を閉塞するようにシャッターが取り付けられたプロジェクターが知られている（例えば、特許文献１参照）。
特許文献１に記載のプロジェクターでは、シャッターは、外装筐体における画像開口部が形成された前面部裏面に沿って直線的に移動可能に構成され、移動することで画像開口部を開閉する。
【先行技術文献】
【特許文献】
【０００３】
【特許文献１】特開２００８−２１６７５７号公報
【発明の概要】
【発明が解決しようとする課題】
【０００４】
しかしながら、特許文献１に記載のプロジェクターでは、シャッターが前面部裏面に沿って直線的に移動するため、前面部裏面に部材を配設した場合には、シャッターの移動時にシャッターが前記部材に機械的に干渉しやすい。このため、前面部裏面には、例えば、リモートコントローラから発せられた光信号を受光するためのリモコン受光部等の部材を配設することが難しい、という問題がある。
すなわち、リモコン受光部等の部材の配設位置が制限されるため、プロジェクターの設計の自由度が低減してしまう。
【０００５】
本発明の目的は、設計の自由度が低減することなく、投射光学装置を保護できるプロジェクターを提供することにある。
【課題を解決するための手段】
【０００６】
本発明のプロジェクターは、画像を投射する投射光学装置と、前記投射光学装置から投射される画像を通過させるための画像開口部を有する外装筐体とを備えたプロジェクターであって、前記外装筐体内部に配設され、前記画像開口部を閉塞するシャッターと、前記画像開口部を閉塞する閉位置または前記画像開口部を開放し前記画像開口部を介して前記投射光学装置を露出させる開位置に、前記シャッターを移動可能に支持する支持部材とを備え、前記シャッター及び前記支持部材には、いずれか一方に設けられ鉛直軸に沿って突出する係合突起と、いずれか他方に設けられ、前記シャッターの移動方向に沿って延び、前記係合突起が挿通されて前記係合突起の移動を案内する係合溝とを有する係合構造が設けられ、前記係合溝は、前記閉位置で前記係合突起が位置する始端が、前記開位置で前記係合突起が位置する終端に対して、前記投射光学装置の投射側に位置するように設けられていることを特徴とする。
【０００７】
本発明では、シャッターは、当該シャッター及び支持部材に設けられた係合構造により、係合溝に係合突起が案内されつつ、すなわち、係合溝に沿って移動し、画像開口部を開閉する。ここで、係合溝は、始端が終端に対して投射側（外装筐体における画像開口部が形成された側壁部（以下、前面部と記載）側に位置するように設けられている。
このことにより、シャッターは、開位置に位置付けられた際には、閉位置に位置付けられた状態に対して、投射方向と反対側、すなわち、前面部から離間した側に位置付けられることとなる。すなわち、シャッターが閉位置から開位置に移動する際、前面部から離間するように移動することとなるため、リモコン受光部等の部材を前面部裏面に配設した場合であっても、シャッターの移動時にシャッターが前記部材に機械的に干渉しない構成を実現できる。
したがって、リモコン受光部等の部材の配設位置が制限されることがなく、プロジェクターの設計の自由度が低減することがない。
また、上記のように構成することで、前面部において、画像開口部が形成される部位を他の部位に対して投射方向に膨出させた形状とすることも可能となり、外装筐体の設計の自由度も向上できる。
【０００８】
本発明のプロジェクターでは、前記係合溝は、互いに連通する第１溝部及び第２溝部で構成され、前記第２溝部は、前記終端から前記投射光学装置の投射方向に略直交して延びるように形成され、前記第１溝部は、前記第２溝部に対して鈍角を成し、前記始端まで延びるように形成されていることが好ましい。
本発明では、係合溝は、互いに鈍角を成して連通する上述した第１溝部及び第２溝部で構成されている。このことにより、係合溝（第１溝部及び第２溝部）に沿って係合突起がスムーズに移動することとなるため、利用者は、シャッターをスムーズに移動させることができる。このため、シャッターの操作性を向上できる。
【０００９】
本発明のプロジェクターでは、前記係合溝は、前記第１溝部が前記第２溝部よりも短くなるように形成されていることが好ましい。
本発明では、第１溝部が第２溝部よりも短くなるように形成されているので、シャッターは、閉位置から早い段階で前面部から離間する側に移動し、その後、前面部に対して略平行移動して開位置に位置付けられることとなる。このことにより、前面部裏面において、リモコン受光部等の部材を画像開口部に近接して配設しても、シャッターの移動時にシャッターが前記部材に機械的に干渉することはない。したがって、上述したプロジェクターの設計の自由度が低減することがないという効果をさらに好適に図れる。
【００１０】
本発明のプロジェクターでは、前記シャッターは、前記投射光学装置の投射方向に膨出し、前記シャッターが前記閉位置に位置した際に前記画像開口部に遊嵌する膨出部を備えることが好ましい。
ところで、従来の構成では、シャッターは、前面部裏面に沿って移動するため、閉位置に位置付けられた際には、画像開口部を介して前面部外面から前面部の厚み分、内部に落ち込んだ位置に配設される。このような構成では、シャッターにて画像開口部を閉塞した状態であっても、画像開口部の縁部分が視認可能となり、外観上好ましくない。
【００１１】
本発明では、シャッターが上述した膨出部を備えるので、シャッターにて画像開口部を閉塞した状態では、画像開口部に膨出部が遊嵌した状態となる。このことにより、画像開口部の縁部分が膨出部にて視認し難いものとなり、外観上好ましい構成とすることができる。
【００１２】
本発明のプロジェクターでは、前記膨出部の先端部分は、前記画像開口部に遊嵌した際に前記外装筐体における前記画像開口部が形成された側壁部外面に倣う面で構成されていることが好ましい。
本発明では、膨出部の先端部分は、上述したような面で構成されている。このことにより、シャッターにて画像開口部を閉塞した状態では、画像開口部に遊嵌した膨出部の先端部分の面と前面部外面とが略同一面上に位置することとなる。このため、外観上さらに好ましい構成とすることができる。
【００１３】
本発明のプロジェクターでは、前記画像開口部は、前記外装筐体内部に向うにしたがって開口面積が大きくなるように形成されていることが好ましい。
本発明では、画像開口部が上述したように形成されているので、シャッターに膨出部が形成されている場合であっても、シャッターの移動時において、膨出部が画像開口部の縁部分に機械的に干渉することがない。このため、利用者は、シャッターをスムーズに移動させることができる。
【００１４】
本発明のプロジェクターでは、前記外装筐体には、前記シャッターを移動させるための操作開口部が形成され、前記操作開口部を介して外部に露出するとともに移動可能に構成され、外部から操作されることで前記シャッターを移動させる操作部材を備え、前記シャッター及び前記操作部材には、いずれか一方に設けられ前記投射光学装置の投射方向に沿って突出する第２の係合突起と、いずれか他方に設けられ前記第２の係合突起が挿通される挿通孔とを有する第２の係合構造が設けられていることが好ましい。
【００１５】
本発明では、シャッターは、当該シャッター及び操作部材に設けられた第２の係合構造により、操作部材の移動に連動することとなる。ここで、第２の係合構造は、投射方向に沿って突出する第２の係合突起と、第２の係合突起が挿通される挿通孔とを有する。
このことにより、例えば、操作部材に挿通孔が設けられ、シャッターに第２の係合突起が設けられている場合には、閉位置または開位置への移動に伴いシャッターが前面部に対して近接隔離する際、第２の係合突起は、挿通孔に挿通された状態で進退することとなる。
したがって、第２の係合構造を採用することで、シャッターの動き（閉位置または開位置への移動に伴い前面部に対して近接隔離する動き）に合わせて操作部材が移動する構造を採用する必要がない。すなわち、操作部材については、直線的に移動させる構造とすればよく、構造の簡素化が図れる。
【図面の簡単な説明】
【００１６】
【図１】本実施形態におけるプロジェクターの外観を示す斜視図。
【図２】前記実施形態におけるプロジェクターの内部構成を模式的に示す図。
【図３】前記実施形態におけるレンズ保護装置の構成を示す図。
【図４】前記実施形態におけるレンズ保護装置の構成を示す図。
【図５】前記実施形態におけるシャッターの構成を示す図。
【図６】前記実施形態における下側支持部材の構成を示す斜視図。
【図７】前記実施形態における上側支持部材の構成を示す斜視図。
【図８】前記実施形態における操作部材の構成を示す図。
【図９】前記実施形態におけるシャッターの動作を説明するための模式図。
【発明を実施するための形態】
【００１７】
以下、本発明の実施の一形態を図面に基づいて説明する。
〔プロジェクターの構成〕
図１は、本実施形態におけるプロジェクター１の外観を示す斜視図である。具体的に、図１は、プロジェクター１を前面上側から見た斜視図である。
なお、以下で記載する「上」、「下」、「左」、「右」は、図１における図面視において、上下左右に相当するものである。また、以下で記載する「前面」、「背面」は、プロジェクター１において投射側（投射レンズ３６が配置された側）を前面とし、その反対側を背面とする。
プロジェクター１は、画像情報に応じた画像を形成してスクリーン（図示略）上に投射する。このプロジェクター１は、図１に示すように、外装を構成する外装筐体２と、外装筐体２内部に収納される光学ユニット３（図２参照）、リモコン受光部４（図２参照）、及びレンズ保護装置５とで大略構成されている。
【００１８】
〔外装筐体の構成〕
外装筐体２は、図１に示すように、鉛直方向に交差する天面部２１及び底面部２２と、前面部２３と、背面部２４と、右側面部２５と、左側面部２６とを備え、略直方体形状を有する。
この外装筐体２において、前面部２３の右側には、図１に示すように、光学ユニット３の後述する投射レンズ３６から投射された画像を通過させるための画像開口部２３１が形成されている。
なお、前面部２３は、図１に示すように、左右方向の中央部分が前面側に僅かに膨出した凸曲面形状を有している。このため、画像開口部２３１の開口面は、左から右にかけて背面側向うように傾斜している。
【００１９】
また、画像開口部２３１の左側には、図１に示すように、外部のリモートコントローラ（図示略）から発せられた光信号を通過させるための受光窓２３２が形成されている。
さらに、外装筐体２において、天面部２１の前面右側には、図１に示すように、レンズ保護装置５の後述する操作部材８を外部に露出させるための操作開口部２１１が形成されている。
この操作開口部２１１は、左右方向に延びる長孔で構成されている。
【００２０】
〔光学ユニットの構成〕
図２は、プロジェクター１の内部構成を模式的に示す図である。
光学ユニット３は、制御装置（図示略）による制御の下、画像情報（画像信号）に応じて画像を形成して投射する。
この光学ユニット３は、図２に示すように、光源ランプ３１１及びリフレクター３１２を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４３、及び反射ミラー３４２，３４４を有するリレー光学装置３４と、光変調装置としての３つの液晶パネル３５１、３つの入射側偏光板３５２、３つの射出側偏光板３５３、及び色合成光学装置としてのダイクロイックプリズム３５４を有する光学装置３５と、光学装置３５にて形成された画像を投射する投射光学装置としての投射レンズ３６とを備える。
【００２１】
そして、光学ユニット３では、上述した構成により、光源装置３１から射出され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調される。変調された各色光は、プリズム３５４にて合成されて画像となり、投射レンズ３６にてスクリーンに投射される。
なお、上述した各部材３１〜３６については、種々の一般的なプロジェクターの光学系として利用されているため、具体的な説明を省略する。
【００２２】
〔リモコン受光部の構成〕
リモコン受光部４は、図２に示すように、前面部２３の裏側に配設され、リモートコントローラから発せられ、受光窓２３２（図１）を通過した光信号を受光し、受光した光信号に対応する信号を制御装置に送信する。
そして、前記制御装置は、受信した信号に応じて、内部の構成部材の動作を制御する。
【００２３】
〔レンズ保護装置の構成〕
図３及び図４は、レンズ保護装置５の構成を示す図である。具体的に、図３はシャッター６が閉位置に位置した状態を前面上側から見た斜視図であり、シャッター６が開位置に位置した状態を前面上側から見た斜視図である。
レンズ保護装置５は、図２に示すように、投射レンズ３６と外装筐体２における前面部２３との間に配設され、利用者による操作により、画像開口部２３１を開閉する装置である。
そして、レンズ保護装置５は、画像開口部２３１を閉塞することで、外装筐体２内部に配設される投射レンズ３６を保護する。また、レンズ保護装置５は、画像開口部２３１を開放することで、画像開口部２３１を介して投射レンズ３６を露出させ、プロジェクター１を使用可能な状態に設定する。
このレンズ保護装置５は、図３または図４に示すように、シャッター６と、支持部材７と、操作部材８と、位置検出部材９とを備える。
【００２４】
〔シャッターの構成〕
図５は、シャッター６の構成を示す図である。具体的に、図５（Ａ）はシャッター６を前面側から見た斜視図であり、図５（Ｂ）はシャッター６を背面側（裏側）から見た斜視図である。
シャッター６は、画像開口部２３１を閉塞する部材である。このシャッター６は、図５に示すように、シャッター本体６１と、第１の係合突起６２と、第２の係合突起６３と、案内レール６４と、検出用突起６５とを備える。
【００２５】
シャッター本体６１は、画像開口部２３１の外形形状よりも大きい矩形状の板体６１１において、板体６１１の中央部分が前面側に向けて凹状に膨出するように構成され、板体６１１の前面側の端面に膨出部６１２を有する。
この膨出部６１２において、先端部分６１２Ａは、平面視矩形形状を有し、略平坦状に形成されている。また、先端部分６１２Ａは、画像開口部２３１と略同一の形状を有するように形成されている。
すなわち、先端部分６１２Ａは、画像開口部２３１と同様に、左から右にかけて背面側に向うように傾斜している。
【００２６】
また、膨出部６１２において、先端部分６１２Ａの左側の側壁部６１２Ｂは、先端部分６１２Ａとの接続位置に対して板体６１１との接続位置が左側にずれるように傾斜している。
なお、右側の側壁部６１２Ｃは、左側の側壁部６１２Ｂとは逆に、先端部分６１２Ａとの接続位置に対して板体６１１との接続位置が右側にずれるように傾斜している。
【００２７】
第１の係合突起６２は、支持部材７と係合する部分であり、板体６１１の外縁から鉛直軸に沿って突出する。
本実施形態では、第１の係合突起６２は、板体６１１における上端縁の左右両側からそれぞれ上方側に突出する２つの上側係合突起６２Ａ（図５）、及び、板体６１１における下端縁の左右方向略中央部分から下方側に突出する下側係合突起６２Ｂ（図５（Ａ））の３つ設けられている。
これら第１の係合突起６２は、同一の形状を有し、先端部分が半球状に形成されている。
【００２８】
第２の係合突起６３は、操作部材８と係合する部分であり、板体６１１における背面側の端面において、右上側から水平面に略平行して背面側に突出する。
案内レール６４は、支持部材７と係合する部分であり、シャッター本体６１の背面から突出し、水平面に平行して左右方向に延びる板状に形成されている。
本実施形態では、案内レール６４は、シャッター本体６１の背面において、上方側に位置する上側レール６４Ａ、及び下方側に位置する下側レール６４Ｂの２つ設けられている。
上側レール６４Ａは、第２の係合突起６３よりも下側に形成されている。
この上側レール６４Ａにおいて、背面側の端縁には、図５（Ｂ）に示すように、左右両側にそれぞれ半円状に切り欠かれた切欠部６４１が形成されている。
なお、以下では、説明の便宜上、２つの切欠部６４１のうち、左側の切欠部６４１を閉位置切欠部６４１Ａと記載し、右側の切欠部６４１を開位置切欠部６４１Ｂと記載する。
検出用突起６５は、シャッター６の位置を検出する際に用いられる部分であり、板体６１１における左側縁の下方側から左側に突出する。
【００２９】
〔支持部材の構成〕
支持部材７は、画像開口部２３１を閉塞する閉位置（図３）、画像開口部２３１を開放し画像開口部２３１を介して投射レンズ３６を露出させる開位置（図４）に、シャッター６を移動可能に支持する。この支持部材７は、図３または図４に示すように、下側支持部材７１と、上側支持部材７２とを備える。
【００３０】
図６は、下側支持部材７１の構成を示す斜視図である。具体的に、図６は、下側支持部材７１を前面上側から見た斜視図である。
下側支持部材７１は、外装筐体２に固定され、レンズ保護装置５全体を支持する部材である。この下側支持部材７１は、図６に示すように、基体７１１と、載置部７１２と、下側水平部７１３とを備える。
基体７１１は、板面が投射レンズ３６からの投射方向に直交する平面視矩形状の板体で構成されている。
この基体７１１において、画像開口部２３１に対向する位置には、図４または図６に示すように、画像開口部２３１と略同様の開口面積を有する第２の画像開口部７１１Ａが形成されている。
すなわち、第２の画像開口部７１１Ａは、画像開口部２３１と同様に、投射レンズ３６から投射された光源を通過させる開口である。
【００３１】
また、基体７１１において、上下両側には、図６に示すように、左右方向に延びる上側案内孔７１１Ｂ及び下側案内孔７１１Ｃがそれぞれ形成されている。
これら一対の案内孔７１１Ｂ，７１１Ｃは、図３に示すように、シャッター６における一対の案内レール６４がそれぞれ挿通され、シャッター６の移動を案内する部分である。
【００３２】
さらに、基体７１１において、上方側の左右方向略中央部分には、内部が上側案内孔７１１Ｂに連通するとともに、背面側に向けて凹状に膨出したクリック機構収納部７１１Ｄが設けられている。
クリック機構収納部７１１Ｄは、図６に示すように、クリック機構１０を収納する部分である。
ここで、クリック機構１０は、シャッター６が閉位置（図３）または開位置（図４）に位置付けられた際にシャッター６に振動を加え、シャッター６（操作部材８）を操作した利用者にシャッター６が閉位置または開位置に位置付けた旨を認識させる機構である。
このクリック機構１０は、図６に示すように、コイルバネ１１と、球状の当接部材１２とを備える。
なお、クリック機構１０の動作については、後述する。
【００３３】
また、基体７１１において、前面側の端面の左上側には、図３、図４または図６に示すように、位置検出部材９を設置するための検出部材設置部７１１Ｅが設けられている。
【００３４】
載置部７１２は、基体７１１の上端縁に設けられ、操作部材８が載置されるとともに、操作部材８が摺動する部分である（図８参照）。そして、載置部７１２は、基体７１１の上端縁から水平面に平行して背面側に突出するとともに、基体７１１の上端縁に沿って左右方向に延びる矩形板状に形成されている。
この載置部７１２において、上面の左右両側には、図６に示すように、開位置規制部７１２Ａ及び閉位置規制部７１２Ｂがそれぞれ立設されている。
これら規制部７１２Ａ，７１２Ｂは、前後方向に延びる板状に形成され、操作部材８の移動を規制する部分である。
【００３５】
下側水平部７１３は、図６に示すように、基体７１１の下端縁に設けられ、シャッター６の移動を案内する部分である。そして、下側水平部７１３は、基体７１１の下端縁から水平面に平行して前面側に突出するとともに、基体７１１の下端縁に沿って左右方向に延びる矩形板状に形成されている。
この下側水平部７１３において、上面には、図６に示すように、下側係合溝７１３Ａが形成されている。
下側係合溝７１３Ａは、シャッター６における下側係合突起６２Ｂが挿通され、シャッター６と係合する部分である。
【００３６】
この下側係合溝７１３Ａは、閉位置で下側係合突起６２Ｂが位置する始端ＰＳが、開位置で下側係合突起６２Ｂが位置する終端ＰＥに対して、前面側に位置するように設けられている。
具体的に、下側係合溝７１３Ａは、始端ＰＳから背面左側に延びる第１溝部７１３Ｂと、第１溝部７１３Ｂに連通し、終端ＰＥまで水平方向に沿って延びる第２溝部７１３Ｃとで構成される。ここで、第１溝部７１３Ｂと第２溝部７１３Ｃとは、互いに鈍角をなすように連通している。また、第１溝部７１３Ｂの長さ寸法は、第２溝部７１３Ｃの長さ寸法よりも短くなるように形成されている。
【００３７】
図７は、上側支持部材７２の構成を示す斜視図である。具体的に、図７は、上側支持部材７２を前面下側から見た斜視図である。
上側支持部材７２は、図３または図４に示すように、下側支持部材７１に固定され、下側支持部材７１（載置部７１２）との間で操作部材８を移動可能に挟持するとともに、シャッター６に係合してシャッター６の移動を案内する部分である。
この上側支持部材７２は、図７に示すように、基部７２１と、上側水平部７２２とを備える。
基部７２１は、載置部７１２と同様の矩形形状を有する板体で構成され、図３または図４に示すように、載置部７１２に対向するように配置される。そして、基部７２１は、載置部７１２とで操作部材８を移動可能に挟持する。
この基部７２１には、図７に示すように、左右方向に延びる長孔７２１Ａが形成されている。そして、基部７２１は、載置部７１２とで操作部材８を移動可能に挟持した状態で、長孔７２１Ａを介して操作部材８の一部を露出させる。
【００３８】
また、基部７２１において、左右両側には、図７に示すように、下方側に向けて垂設され、下側支持部材７１に固定するための固定部７２１Ｂがそれぞれ形成されている。そして、上側支持部材７２は、各固定部７２１Ｂにそれぞれ固定ネジＳｃ（図３、図４）を挿通し、基体７１１における上端縁に形成された各ネジ孔７１１Ｆ（図６）に螺合することで、下側支持部材７１に固定される。
【００３９】
上側水平部７２２は、図７に示すように、基部７２１における前面側の端縁から水平面に平行して前面側に突出するとともに、基部７２１における前面側の端縁に沿って左右方向に延びる矩形板状に形成されている。そして、上側水平部７２２は、図３または図４に示すように、下側支持部材７１に上側支持部材７２が固定された状態で、下側水平部７１３に対向する。
この上側水平部７２２において、下面には、図７に示すように、２つの上側係合溝７２２Ａが左右方向に並設するように形成されている。
２つの上側係合溝７２２Ａは、同様の形状を有し、シャッター６における２つの上側係合突起６２Ａがそれぞれ挿通され、シャッター６と係合する部分である。
【００４０】
上側係合溝７２２Ａは、下側係合溝７１３Ａと同様に、閉位置で上側係合突起６２Ａが位置する始端ＰＳが、開位置で上側係合突起６２Ａが位置する終端ＰＥに対して、前面側に位置するように設けられており、第１溝部７２２Ｂと第２溝部７２２Ｃとで構成される。
以上説明した第１の係合突起６２と各係合溝７２２Ａ，７１３Ａとが本発明に係る係合構造に相当する。
なお、以下では、説明の便宜上、第１の係合突起６２と各係合溝７２２Ａ，７１３Ａとで構成される係合構造を、第１の係合構造と記載する。
【００４１】
〔操作部材の構成〕
図８は、操作部材８の構成を示す図である。具体的に、図８は、図３の状態から上側支持部材７２を取り外した状態を示す斜視図である。
操作部材８は、図１に示すように、外装筐体２における操作開口部２１１を介して一部が露出し、利用者により操作される部分である。
この操作部材８は、図８に示すように、水平基体８１と、摺動部８２と、張出部８３と、摘み部８４とを備える。
【００４２】
水平基体８１は、水平面に平行し、左右方向に延びる矩形状の板体で構成されている。
この水平基体８１は、図３または図４に示すように、前後方向の幅が上側支持部材７２の長孔７２１Ａにおける前後方向の幅と略同一に形成されるとともに、左右方向の長さが長孔７２１Ａにおける左右方向の長さよりも短くなるように形成されている。
摺動部８２は、水平基体８１の下面から投射レンズ３６の投射方向に直交して下方側に突出し、左右方向の延びる矩形状の板体で構成されている。
この摺動部８２において、先端部分は、水平面に平行する平坦状に形成されている。そして、摺動部８２は、図８に示すように、先端部分が下側支持部材７１における載置部７１２の上面に当接する。
【００４３】
また、摺動部８２において、右側には、図８に示すように、シャッター６の第２の係合突起６３が挿通される挿通孔８２１が形成されている。
この挿通孔８２１は、左右方向の幅が第２の係合突起６３の左右方向の幅と略同一に形成されている。
以上説明した第２の係合突起６３及び挿通孔８２１が本発明に係る第２の係合構造に相当する。
【００４４】
張出部８３は、図８に示すように、水平基体８１の前面側の端縁から水平面に平行して前面側に突出し、水平基体８１の前面側の端縁に沿って左右方向に延びる板状に形成されている。
なお、図８では、水平基体８１の背面側の端縁が隠れた位置にあるために図示されていないが、張出部８３は、水平基体８１の背面側の端縁にも設けられている。
これら一対の張出部８３は、水平基体８１の上面から下方側に段落ち形成されている。
すなわち、操作部材８は、下側支持部材７１に上側支持部材７２が固定された際に、長孔７２１Ａに水平基体８１が遊嵌するとともに、一対の張出部８３が長孔７２１Ａの周縁部に当接して各支持部材７１，７２に挟持される。
【００４５】
摘み部８４は、図１または図８に示すように、水平基体８１の上面右側に立設され、操作開口部２１１を介して操作部材８が操作される際に利用者に把持される部分である。
【００４６】
〔位置検出部材の構成〕
位置検出部材９は、シャッター６の位置を検出して信号を前記制御装置に出力する。
本実施形態では、位置検出部材９は、図３または図４に示すように、ノーマルクローズ型のリーフスイッチで構成され、通常の状態（図３の状態）において常時、信号を前記制御装置に出力する。
そして、位置検出部材９は、シャッター６が開位置に位置付けられると、図４に示すように、シャッター６の検出用突起６５により押圧されてオープン状態となり、前記制御装置への信号の出力を停止する。
すなわち、前記制御装置は、位置検出部材９から信号が出力されない場合に、シャッター６が開位置に位置付けられていると認識する。また、前記制御装置は、位置検出部材９から信号が出力されている場合に、シャッター６が開位置以外の位置（例えば、閉位置）に位置付けられていると認識する。そして、この場合には、前記制御装置は、例えば、光源装置３１を消灯させる等の光量を低減させる制御を実施する。
【００４７】
〔レンズ保護装置の動作〕
次に、上述したレンズ保護装置５（シャッター６）の動作について説明する。
図９は、シャッター６の動作を説明するための模式図である。
なお、図９では、シャッター６として、図３の状態（閉位置に位置した状態）を実線で示し、図４の状態（開位置に位置した状態）を１点鎖線で示し、閉位置及び開位置の間に位置した状態を２点鎖線で示している。
また、図９では、上側係合溝７２２Ａ及び下側係合溝７１３Ｂのうち、上側係合溝７２２Ａのみを図示している。そして、以下では、説明の便宜上、上側係合溝７２２Ａを基に、シャッター６（第１の係合突起６２）の移動を説明する。
【００４８】
先ず、図３の状態では、図９において実線で示すように、膨出部６１２が画像開口部２３１に遊嵌し、膨出部６１２の先端部分６１２Ａが前面部２３外面と略同一面上に位置する。
ここで、画像開口部２３１は、膨出部６１２の側壁部６１２Ｂ，６１２Ｃの形状に対応して、図９に示すように、開口面積が背面側に向うにしたがって次第に大きくなるように形成されている。すなわち、画像開口部２３１の縁部は、膨出部６１２の側壁部の形状に対応して傾斜した形状となっている。
【００４９】
また、図３の状態では、操作部材８は、具体的な図示は省略したが、摺動部８２の右側端縁が閉位置規制部７１２Ｂに当接し、右側への移動が規制された状態となっている。
さらに、図３の状態では、クリック機構１０は、コイルバネ１１の付勢力により当接部材１２が閉位置切欠部６４１Ａに当接した状態となっている。
【００５０】
そして、利用者が操作部材８の摘み部８４を把持して図３の状態から操作部材８を左側に移動させると、シャッター６は、操作部材８の挿通孔８２１に第２の係合突起６３が挿通されているため、操作部材８の左側への移動に連動する。
具体的に、シャッター６は、操作部材８の左側への移動に応じて、コイルバネ１１の付勢力に抗して当接部材１２を背面側に押圧し、当接部材１２を閉位置切欠部６４１Ａから上側レール６４Ａにおける背面側の端縁の他の部位に乗り上げさせる。そして、シャッター６は、上側レール６４Ａにおける背面側の端縁が当接部材１２上を摺接しつつ、図９において２点鎖線で示すように、第１溝部７２２Ｂに沿って、始端ＰＳ（閉位置）から背面左側に移動する。
【００５１】
また、シャッター６は、操作部材８のさらなる左側への移動に応じて、上側レール６４Ａにおける背面側の端縁が当接部材１２上を摺接しつつ、第２溝部７２２Ｃに沿って、左側に移動する。この際、シャッター６は、図９において２点鎖線で示すように、先端部分６１２Ａの位置がリモコン受光部４よりも背面側に位置するため、左側への移動時にリモコン受光部４に機械的に干渉することがない。
そして、シャッター６は、操作部材８における摺動部８２の左側端縁が開位置規制部７１２Ａに当接し左側への移動が規制されると、図９において１点鎖線で示すように、第２溝部７２２Ｃの終端ＰＥ（開位置）に位置付けられる。
ここで、シャッター６が終端ＰＥに位置付けられる際、クリック機構１０は、コイルバネ１１の付勢力により、当接部材１２が上側レール６４Ａにおける背面側の端縁から開位置切欠部６４１Ｂに入り込み、シャッター６に振動を与える。そして、利用者は、操作部材８を介してシャッター６に与えられた振動を認識し、シャッター６を開位置に位置付けた旨を認識する。
【００５２】
なお、図４の状態から図３の状態とされるシャッター６の動作については、上記と逆に動作するだけであり、具体的な説明を省略する。
【００５３】
上述した本実施形態によれば、以下の効果がある。
本実施形態では、シャッター６は、当該シャッター６及び支持部材７に設けられた第１の係合構造により、各係合溝７２２Ａ，７１３Ａに第１の係合突起６２が案内されつつ、すなわち、各係合溝７２２Ａ，７１３Ａに沿って移動し、画像開口部２３１を開閉する。ここで、各係合溝７２２Ａ，７１３Ａは、始端ＰＳが終端ＰＥに対して前面側に位置するように設けられている。
このことにより、シャッター６は、開位置に位置付けられた際には、閉位置に位置付けられた状態に対して、背面側、すなわち、前面部２３から離間した側に位置付けられることとなる。すなわち、シャッター６が閉位置から開位置に移動する際、前面部２３から離間するように移動することとなるため、リモコン受光部４を前面部２３裏面に配設した場合であっても、シャッター６の移動時にシャッター６がリモコン受光部４に機械的に干渉しない構成を実現できる。
したがって、リモコン受光部４の配設位置が制限されることがなく、プロジェクター１の設計の自由度が低減することがない。
また、上記のように構成することで、本実施形態とは異なるが、前面部２３において、画像開口部２３１が形成される部位を他の部位に対して前面側に膨出させた形状とすることも可能となり、外装筐体２の設計の自由度も向上できる。
【００５４】
また、各係合溝７２２Ａ，７１３Ａは、互いに鈍角を成して連通する第１溝部７２２Ｂ，７１３Ｂ及び第２溝部７２２Ｃ，７１３Ｃで構成されている。このことにより、各係合溝７２２Ａ，７１３Ａに沿って第１の係合突起６２がスムーズに移動することとなるため、利用者は、シャッター６をスムーズに移動させることができる。このため、シャッター６の操作性を向上できる。
【００５５】
さらに、第１溝部７２２Ｂ，７１３Ｂが第２溝部７２２Ｃ，７１３Ｃよりも短くなるように形成されているので、シャッター６は、閉位置から早い段階で前面部２３から離間する側に移動し、その後、前面部２３に対して略平行移動して開位置に位置付けられることとなる。このことにより、前面部２３裏面において、リモコン受光部４を画像開口部２３１に近接して配設しても、シャッター６の移動時にシャッター６がリモコン受光部４に機械的に干渉することはない。したがって、上述したプロジェクター１の設計の自由度が低減することがないという効果をさらに好適に図れる。
【００５６】
また、シャッター６が膨出部６１２を備えるので、シャッター６にて画像開口部２３１を閉塞した状態では、画像開口部２３１に膨出部６１２が遊嵌した状態となる。このことにより、画像開口部２３１の縁部分が膨出部６１２にて視認し難いものとなり、外観上好ましい構成とすることができる。
さらに、膨出部６１２の先端部分６１２Ａは、上述したような面で構成されているので、シャッター６にて画像開口部２３１を閉塞した状態では、画像開口部２３１に遊嵌した膨出部６１２の先端部分６１２Ａの面と前面部２３外面とが略同一面上に位置することとなる。このため、外観上さらに好ましい構成とすることができる。
【００５７】
また、画像開口部２３１は、背面側に向うにしたがって開口面積が大きくなるように形成されている。このことにより、シャッター６に膨出部６１２が形成されている場合であっても、シャッター６の移動時において、膨出部６１２が画像開口部２３１の縁部分に機械的に干渉することがない。このため、利用者は、シャッター６をスムーズに移動させることができる。
さらに、画像開口部２３１の縁部分、及び膨出部６１２の側壁部は、それぞれ同様に傾斜して構成されている。このことにより、シャッター６にて画像開口部２３１を閉塞した状態では、画像開口部２３１の縁部分と膨出部６１２との隙間を低減でき、ゴミ等の塵埃が外部から侵入することを良好に防止できる。
【００５８】
また、シャッター６は、当該シャッター６及び操作部材８に設けられた第２の係合構造により、操作部材８の移動に連動することとなる。ここで、第２の係合構造は、投射方向に沿って突出する第２の係合突起６３と、第２の係合突起６３が挿通される挿通孔８２１とを有する。
このことにより、閉位置または開位置への移動に伴いシャッター６が前面部２３に対して近接隔離する（前後方向に移動する）際、第２の係合突起６３は、挿通孔８２１に挿通された状態で進退することとなる。
したがって、第２の係合構造を採用することで、シャッター６の動き（閉位置または開位置への移動に伴い前面部２３に対して近接隔離する動き）に合わせて操作部材８が移動する構造を採用する必要がない。すなわち、操作部材８については、左右方向に直線的に移動させる構造とすればよく、構造の簡素化が図れる。
【００５９】
なお、本発明は前述の実施形態に限定されるものではなく、本発明の目的を達成できる範囲での変形、改良等は本発明に含まれるものである。
前記実施形態では、第１の係合構造として、第１の係合突起６２をシャッター６に設け、各係合溝７２２Ａ，７１３Ａを支持部材７に設けていたが、これに限らず、逆に、第１の係合突起を支持部材に設け、係合溝をシャッターに設けた構成を採用しても構わない。
同様に、前記実施形態では、第２の係合構造として、第２の係合突起６３をシャッター６に設け、挿通孔８２１を操作部材８に設けていたが、これに限らず、逆に、第２の係合突起を操作部材に設け、挿通孔をシャッターに設けた構成を採用しても構わない。
【００６０】
前記実施形態において、各係合溝７２２Ａ，７１３Ａの形状は、前記実施形態で説明した形状に限らない。係合溝７２２Ａ，７１３Ａとしては、始端ＰＳが終端ＰＥよりも前面側に位置していれば、いずれの形状でもよく、例えば、始端ＰＳから終端ＰＥまで直線状に延びる形状としてもよく、始端ＰＳから終端ＰＥまで曲線状に延びる形状としても構わない。
前記実施形態では、各係合溝７２２Ａ，７１３Ａを支持部材７に形成していたが、これに限らず、外装筐体２の天面部２１や底面部２２裏面に形成しても構わない。
【００６１】
前記実施形態では、前面部２３裏面には、リモコン受光部４が配設されていたが、これに限らず、スクリーン等の被投射面に表示される投射画像を撮像するＣＣＤ(Charge Coupled Device)等の撮像素子や、被投射面までの距離を測定するセンサ等を配設しても構わない。
【００６２】
前記実施形態において、プロジェクター１は、３つの液晶パネル３５１を備える構成としたが、本発明はこれに限らない。すなわち、２つ以下、あるいは、４つ以上の液晶パネルを用いたプロジェクターにも、本発明を適用可能である。
前記実施形態において、光変調装置としては、透過型の液晶パネルの他、反射型の液晶パネルを採用しても構わない。また、光束を画像情報に応じて変調して画像を形成する光変調装置であれば、他の構成の光変調装置を採用しても構わない。例えば、マイクロミラーを用いたデバイスなど、液晶以外の光変調装置を用いたプロジェクターにも、本発明を適用可能である。このような光変調装置を用いた場合、光束入射側及び光束射出側の偏光板３５２，３５３は省略できる。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００６３】
本発明のプロジェクターは、設計の自由度が低減することなく、投射光学装置を保護できるため、プレゼンテーションやホームシアターに用いられるプロジェクターとして利用できる。
【符号の説明】
【００６４】
１・・・プロジェクター、２・・・外装筐体、６・・・シャッター、７・・・支持部材、８・・・操作部材、３６・・・投射レンズ（投射光学装置）、６２・・・第１の係合突起、６３・・・第２の係合突起、２１１・・・操作開口部、２３１・・・画像開口部、６１２・・・膨出部、６１２Ａ・・・先端部分、７１３Ａ，７２２Ａ・・・係合溝、７１３Ｂ，７２２Ｂ・・・第１溝部、７１３Ｃ，７２２Ｃ・・・第２溝部、８２１・・・挿通孔、ＰＳ・・・始端、ＰＥ・・・終端。
【図１】
2010181799.tif 000003
【図２】
2010181799.tif 000004
【図３】
2010181799.tif 000005
【図４】
2010181799.tif 000006
【図５】
2010181799.tif 000007
【図６】
2010181799.tif 000008
【図７】
2010181799.tif 000009
【図８】
2010181799.tif 000010
【図９】
2010181799.tif 000011